(57)【特許請求の範囲】
【請求項１】
立体映像を構成する視差の異なる３つ以上の映像を時分割多重して表示するとともに、各映像の切り替わりのタイミングを示す制御信号を出力する表示システムと、
立体度が異なる複数の立体映像をそれぞれ前記３つ以上の映像のうちの２つの映像の組み合わせにより規定した複数の表示モードから任意の表示モードを指定するための入力手段と、
光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで前記２つのシャッタの開閉をそれぞれ独立に制御するシャッタ駆動回路を有する、立体映像鑑賞システム。
【請求項２】
前記入力手段は、２次元表示を行うための別の表示モードの指定が可能とされており、
前記シャッタ駆動回路は、前記入力手段にて前記別の表示モードが指定された場合に、前記３つ以上の映像のうちの１つの映像の切り替わりのタイミングを前記制御信号に基づいて特定し、該特定した切り替わりタイミングで、前記２つのシャッタの開閉を同時に制御する、請求項１に記載の立体映像鑑賞システム。
【請求項３】
前記入力手段は、他の表示モードの指定が可能とされており、
前記シャッタ駆動回路は、前記入力手段にて前記他の表示モードが指定された場合に、前記３つ以上の映像のうちの１つの映像の切り替わりのタイミングを前記制御信号に基づいて特定し、該特定した切り替わりタイミングで、前記２つのシャッタの一方のシャッタの開閉を制御するとともに、他方のシャッタを閉じる、請求項１または２に記載の立体映像鑑賞システム。
【請求項４】
前記表示システムは、
前記３つ以上の映像を時分割多重した立体映像信号を出力する制御手段と、
前記立体映像信号に基づく映像を表示する表示手段を有する、請求項１から３のいずれか１項に記載の立体映像鑑賞システム。
【請求項５】
前記制御手段は、立体映像を構成する視差の異なる３つ以上の映像信号を時分割多重して立体映像信号を生成する立体映像生成手段を備える、請求項４に記載の立体映像鑑賞システム。
【請求項６】
前記立体映像生成手段は、３つ以上の映像再生装置を有し、これら映像再生装置を同期制御して前記立体映像信号を生成する、請求項５に記載の立体映像鑑賞システム。
【請求項７】
前記立体映像生成手段は、前記３つ以上の映像を、これら映像の数より少ない映像データから生成する、請求項５に記載の立体映像鑑賞システム。
【請求項８】
前記表示システムは、
立体映像を構成する視差の異なる３つ以上の映像信号を出力するとともに、各映像信号におけるフレームの切り替わりのタイミングを示す制御信号を出力する制御手段と、
前記制御手段からの各映像信号に基づく映像をそれぞれ表示する３つ以上の表示装置と、
前記３つ以上の表示装置のそれぞれに設けられ、前記制御手段からの制御信号に従って、表示された映像を透過する状態と表示された映像を遮断する状態とを切り替える複数のシャッタを有する、請求項１から３のいずれか１項に記載の立体映像鑑賞システム。
【請求項９】
前記制御手段は、３つ以上の映像再生装置を有し、これら映像再生装置を同期制御して前記３つ以上の映像信号を出力する、請求項８に記載の立体映像鑑賞システム。
【請求項１０】
前記制御手段は、前記３つ以上の映像を、これら映像の数より少ない映像データから生成する、請求項８に記載の立体映像鑑賞システム。
【請求項１１】
第１の立体映像を構成する視差の異なる３つ以上の映像を時分割多重して第１の偏光で表示し、前記第１の立体映像とは一部内容が異なる第２の立体映像を構成する視差の異なる３つ以上の映像を時分割多重して、前記第１の偏光とは偏光成分が異なる第２の偏光で表示するとともに、前記第１および第２の偏光で表示された各映像の切り替わりのタイミングを示す制御信号を出力する表示システムと、
前記第１および第２の立体映像のそれぞれについて、立体度が異なる複数の立体映像をそれぞれ前記３つ以上の映像のうちの２つの映像の組み合わせにより規定した複数の表示モードが設定されており、これら表示モードから任意の表示モードを指定するための入力手段と、
透過する光の偏光成分を選択可能であり、光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで、前記２つのシャッタの開閉をそれぞれ独立に制御するとともに、該指定表示モード対応する２つの映像の表示に用いた偏光の偏光成分を前記２つのシャッタにて選択させるシャッタ駆動回路を有する、立体映像鑑賞システム。
【請求項１２】
前記入力手段は、前記第１および第２の立体映像のそれぞれについて、２次元表示を行うための別の表示モードの指定が可能とされており、
前記シャッタ駆動回路は、
前記第１の立体映像について、前記入力手段にて前記別の表示モードが指定された場合は、前記第１の立体映像を構成する前記３つ以上の映像のうちの１つの映像の切り替わりのタイミングを前記制御信号に基づいて特定し、該特定した切り替わりタイミングで、前記２つのシャッタの開閉を同時に制御するとともに、前記第１の偏光の偏光成分を前記２つのシャッタにて選択させ、
前記第２の立体映像について、前記入力手段にて前記別の表示モードが指定された場合は、前記第２の立体映像を構成する前記３つ以上の映像のうちの１つの映像の切り替わりのタイミングを前記制御信号に基づいて特定し、該特定した切り替わりタイミングで、前記２つのシャッタの開閉を同時に制御するとともに、前記第２の偏光の偏光成分を前記２つのシャッタにて選択させる、請求項１１に記載の立体映像鑑賞システム。
【請求項１３】
前記入力手段は、前記第１および第２の立体映像のそれぞれについて、他の表示モードの指定が可能とされており、
前記シャッタ駆動回路は、
前記第１の立体映像について、前記入力手段にて前記他の表示モードが指定された場合は、前記第１の立体映像を構成する前記３つ以上の映像のうちの１つの映像の切り替わりのタイミングを前記制御信号に基づいて特定し、該特定した切り替わりタイミングで、前記２つのシャッタの一方のシャッタの開閉を制御し、前記第１の偏光の偏光成分を該一方のシャッタにて選択させ、他方のシャッタを閉じ、
前記第２の立体映像について、前記入力手段にて前記他の表示モードが指定された場合は、前記第２の立体映像を構成する前記３つ以上の映像のうちの１つの映像の切り替わりのタイミングを前記制御信号に基づいて特定し、該特定した切り替わりタイミングで、前記２つのシャッタの一方のシャッタの開閉を制御し、前記第２の偏光の偏光成分を該一方のシャッタにて選択させ、他方のシャッタを閉じる、請求項１１または１２に記載の立体映像鑑賞システム。
【請求項１４】
前記表示システムは、
前記第１の立体映像を構成する３つ以上の映像を時分割多重した第１の立体映像信号と前記第２の立体映像を構成する３つ以上の映像を時分割多重した第２の立体映像信号をそれぞれ出力する制御手段と、
前記第１の立体映像信号に基づく映像を前記第１の偏光で表示し、前記第２の立体映像信号に基づく映像を前記第２の偏光で表示する表示手段を有する、請求項１１から１３のいずれか１項に記載の立体映像鑑賞システム。
【請求項１５】
前記制御手段は、前記第１の立体映像を構成する視差の異なる３つ以上の映像信号を時分割多重して第１の立体映像信号を生成し、前記第２の立体映像を構成する視差の異なる３つ以上の映像信号を時分割多重して第２の立体映像信号を生成する立体映像生成手段を備える、請求項１４に記載の立体映像鑑賞システム。
【請求項１６】
前記立体映像生成手段は、３つ以上の第１の映像再生装置および３つ以上の第２の映像再生装置を有し、該３つ以上の第１の映像再生装置を同期制御して前記第１の立体映像信号を生成し、該３つ以上の第２の映像再生装置を同期制御して前記第２の立体映像信号を生成する、請求項１５に記載の立体映像鑑賞システム。
【請求項１７】
前記立体映像生成手段は、前記第１の立体映像を構成する視差の異なる３つ以上の映像を、これら映像の数より少ない映像データから生成し、前記第２の立体映像を構成する視差の異なる３つ以上の映像を、これら映像の数より少ない映像データから生成する、請求項１５に記載の立体映像鑑賞システム。
【請求項１８】
前記表示システムは、
前記第１の立体映像を構成する３つ以上の映像信号および前記第２の立体映像を構成する３つ以上の映像信号をそれぞれ出力するとともに、各映像信号におけるフレームの切り替わりのタイミングを示す制御信号を出力する制御手段と、
前記制御手段からの前記第１の立体映像を構成する３つ以上の映像信号に基づく映像をそれぞれ前記第１の偏光で表示する３つ以上の第１の表示装置と、
前記制御手段からの前記第２の立体映像を構成する３つ以上の映像信号に基づく映像をそれぞれ前記第２の偏光で表示する３つ以上の第２の表示装置と、
前記３つ以上の第１の表示装置および前記３つ以上の第２の表示装置のそれぞれに設けられ、前記制御手段からの制御信号に従って、表示された映像を透過する状態と表示された映像を遮断する状態とを切り替える複数のシャッタを有する、請求項１１から１３のいずれか１項に記載の立体映像鑑賞システム。
【請求項１９】
前記制御手段は、３つ以上の第１の映像再生装置および３つ以上の第２の映像再生装置を有し、該３つ以上の第１の映像再生装置を同期制御して前記第１の立体映像を構成する３つ以上の映像信号を出力し、該３つ以上の第２の映像再生装置を同期制御して前記第２の立体映像を構成する３つ以上の映像信号を出力する、請求項１８に記載の立体映像鑑賞システム。
【請求項２０】
前記制御手段は、前記第１の立体映像を構成する３つ以上の映像を、これら映像の数より少ない映像データから生成し、前記第２の立体映像を構成する３つ以上の映像を、これら映像の数より少ない映像データから生成する、請求項１８に記載の立体映像鑑賞システム。
【請求項２１】
前記入力手段、前記２つのシャッタおよび前記シャッタ駆動回路を備える複数の光シャッタを有し、前記表示システムからの制御信号が各光シャッタに供給される、請求項１から２０のいずれか１項に記載の立体映像鑑賞システム。
【請求項２２】
立体映像を構成する視差の異なる３つ以上の映像を時分割多重した立体映像信号を出力するとともに、該立体映像信号のフレームの切り替わりを示す制御信号を出力する制御手段と、
前記制御手段からの立体映像信号に基づく映像を表示する表示手段を有し、
前記３つ以上の映像は、少なくとも立体度が抑制された映像を含み、
前記制御信号に基づき、前記３つ以上の映像のうちの２つの映像の組み合わせにより立体度が異なる複数の立体映像が外部装置へ提供される、表示システム。
【請求項２３】
前記制御手段は、立体映像を構成する視差の異なる３つ以上の映像信号を時分割多重して立体映像信号を生成する立体映像生成手段を備える、請求項２２に記載の表示システム。
【請求項２４】
前記立体映像生成手段は、３つ以上の映像再生装置を有し、これら映像再生装置を同期制御して前記立体映像信号を生成する、請求項２３に記載の表示システム。
【請求項２５】
前記立体映像生成手段は、前記３つ以上の映像を、これら映像の数より少ない映像データから生成する、請求項２３に記載の表示システム。
【請求項２６】
前記表示手段は、
前記制御手段からの立体映像信号に基づき、前記３つ以上の映像をそれぞれ表示する３つ以上の表示装置と、
前記３つ以上の表示装置のそれぞれに設けられ、前記制御手段からの制御信号に従って、表示された映像を透過する状態と表示された映像を遮断する状態とを切り替える複数のシャッタを有する、請求項２２に記載の表示システム。
【請求項２７】
第１の立体映像を構成する視差の異なる３つ以上の映像を時分割多重した第１の立体映像信号と前記第１の立体映像とは一部内容が異なる第２の立体映像を構成する視差の異なる３つ以上の映像を時分割多重した第２の立体映像信号をそれぞれ出力するとともに、各立体映像信号のフレームの切り替わりのタイミングを示す制御信号を出力する制御手段と、
前記第１の立体映像信号に基づく映像を第１の偏光で表示し、前記第２の立体映像信号に基づく映像を前記第１の偏光とは偏光成分が異なる第２の偏光で表示する表示手段を有し、
前記第１および第２の立体映像のそれぞれの前記３つ以上の映像は、少なくとも立体度が抑制された映像を含み、
前記制御信号に基づき、前記第１および第２の立体映像のそれぞれについて、該立体映像を構成する前記３つ以上の映像のうちの２つの映像の組み合わせにより立体度が異なる複数の立体映像が外部装置へ提供される、表示システム。
【請求項２８】
前記制御手段は、前記第１の立体映像を構成する視差の異なる３つ以上の映像信号を時分割多重して前記第１の立体映像信号を生成し、前記第２の立体映像を構成する視差の異なる３つ以上の映像信号を時分割多重して前記第２の立体映像信号を生成する立体映像生成手段を備える、請求項２７に記載の表示システム。
【請求項２９】
前記立体映像生成手段は、３つ以上の第１の映像再生装置および３つ以上の第２の映像再生装置を有し、該３つ以上の第１の映像再生装置を同期制御して前記第１の立体映像信号を生成し、該３つ以上の第２の映像再生装置を同期制御して前記第２の立体映像信号を生成する、請求項２８に記載の表示システム。
【請求項３０】
前記立体映像生成手段は、前記第１の立体映像を構成する視差の異なる３つ以上の映像を、これら映像の数より少ない映像データから生成し、前記第２の立体映像を構成する視差の異なる３つ以上の映像を、これら映像の数より少ない映像データから生成する、請求項２８に記載の表示システム。
【請求項３１】
第１の立体映像を構成する視差の異なる３つ以上の映像信号および前記第１の立体映像とは一部内容が異なる第２の立体映像を構成する視差の異なる３つ以上の映像信号をそれぞれ出力するとともに、各映像信号のフレームの切り替わりのタイミングを示す制御信号を出力する制御手段と、
前記制御手段からの前記第１の立体映像を構成する３つ以上の映像信号に基づく映像をそれぞれ第１の偏光で表示する３つ以上の第１の表示装置と、
前記制御手段からの前記第２の立体映像を構成する３つ以上の映像信号に基づく映像をそれぞれ前記第１の偏光とは偏光成分が異なる第２の偏光で表示する３つ以上の第２の表示装置と、
前記３つ以上の第１の表示装置および前記３つ以上の第２の表示装置のそれぞれに設けられ、前記制御手段からの制御信号に従って、表示された映像を透過する状態と表示された映像を遮断する状態とを切り替える複数のシャッタを有し、
前記複数のシャッタは、前記第１の立体映像を構成する３つ以上の映像信号に基づく映像を時分割多重して表示させ、前記第２の立体映像を構成する３つ以上の映像信号に基づく映像を時分割多重して表示させる、表示システム。
【請求項３２】
前記制御手段は、３つ以上の第１の映像再生装置および３つ以上の第２の映像再生装置を有し、該３つ以上の第１の映像再生装置を同期制御して前記第１の立体映像を構成する３つ以上の映像信号を出力し、該３つ以上の第２の映像再生装置を同期制御して前記第２の立体映像を構成する３つ以上の映像信号を出力する、請求項３１に記載の表示システム。
【請求項３３】
前記制御手段は、前記第１の立体映像を構成する３つ以上の映像を、これら映像の数より少ない映像データから生成し、前記第２の立体映像を構成する３つ以上の映像を、これら映像の数より少ない映像データから生成する、請求項３１に記載の表示システム。
【請求項３４】
立体映像を構成する視差の異なる３つ以上の映像を時分割多重して表示するとともに、各映像の切り替わりのタイミングを示す制御信号を出力する表示システムと通信可能な光シャッタであって、
立体度が異なる複数の立体映像をそれぞれ前記３つ以上の映像のうちの２つの映像の組み合わせにより規定した複数の表示モードから任意の表示モードを指定するための入力手段と、
光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで前記２つのシャッタの開閉をそれぞれ独立に制御するシャッタ駆動回路を有する光シャッタ。
【請求項３５】
前記入力手段は、２次元表示を行うための別の表示モードの指定が可能とされており、
前記シャッタ駆動回路は、前記入力手段にて前記別の表示モードが指定された場合に、前記３つ以上の映像のうちの１つの映像の切り替わりのタイミングを前記制御信号に基づいて特定し、該特定した切り替わりタイミングで、前記２つのシャッタの開閉を同時に制御する、請求項３４に記載の光シャッタ。
【請求項３６】
前記入力手段は、他の表示モードの指定が可能とされており、
前記シャッタ駆動回路は、前記入力手段にて前記他の表示モードが指定された場合に、前記３つ以上の映像のうちの１つの映像の切り替わりのタイミングを前記制御信号に基づいて特定し、該特定した切り替わりタイミングで、前記２つのシャッタの一方のシャッタの開閉を制御するとともに、他方のシャッタを閉じる、請求項３４または３５に記載の光シャッタ。
【請求項３７】
第１の立体映像を構成する視差の異なる３つ以上の映像を時分割多重して第１の偏光で表示し、前記第１の立体映像とは一部内容が異なる第２の立体映像を構成する視差の異なる３つ以上の映像を時分割多重して、前記第１の偏光とは偏光成分が異なる第２の偏光で表示するとともに、前記第１および第２の偏光で表示された各映像の切り替わりのタイミングを示す制御信号を出力する表示システムと通信可能な光シャッタであって、
前記第１および第２の立体映像のそれぞれについて、立体度が異なる複数の立体映像をそれぞれ前記３つ以上の映像のうちの２つの映像の組み合わせにより規定した複数の表示モードが設定されており、これら表示モードから任意の表示モードを指定するための入力手段と、
透過する光の偏光成分を選択可能であり、光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで、前記２つのシャッタの開閉をそれぞれ独立に制御するとともに、該指定された表示モード対応する２つの映像の表示に用いた偏光の偏光成分を前記２つのシャッタにて選択させるシャッタ駆動回路を有する光シャッタ。
【請求項３８】
前記入力手段は、前記第１および第２の立体映像のそれぞれについて、２次元表示を行うための別の表示モードの指定が可能とされており、
前記シャッタ駆動回路は、
前記第１の立体映像について、前記入力手段にて前記別の表示モードが指定された場合は、前記第１の立体映像を構成する前記３つ以上の映像のうちの１つの映像の切り替わりのタイミングを前記制御信号に基づいて特定し、該特定した切り替わりタイミングで、前記２つのシャッタの開閉を同時に制御するとともに、前記第１の偏光の偏光成分を前記２つのシャッタにて選択させ、
前記第２の立体映像について、前記入力手段にて前記別の表示モードが指定された場合は、前記第２の立体映像を構成する前記３つ以上の映像のうちの１つの映像の切り替わりのタイミングを前記制御信号に基づいて特定し、該特定した切り替わりタイミングで、前記２つのシャッタの開閉を同時に制御するとともに、前記第２の偏光の偏光成分を前記２つのシャッタにて選択させる、請求項３７に記載の光シャッタ。
【請求項３９】
前記入力手段は、前記第１および第２の立体映像のそれぞれについて、他の表示モードの指定が可能とされており、
前記シャッタ駆動回路は、
前記第１の立体映像について、前記入力手段にて前記他の表示モードが指定された場合は、前記第１の立体映像を構成する前記３つ以上の映像のうちの１つの映像の切り替わりのタイミングを前記制御信号に基づいて特定し、該特定した切り替わりタイミングで、前記２つのシャッタの一方のシャッタの開閉を制御し、前記第１の偏光の偏光成分を該一方のシャッタにて選択させ、他方のシャッタを閉じ、
前記第２の立体映像について、前記入力手段にて前記他の表示モードが指定された場合は、前記第２の立体映像を構成する前記３つ以上の映像のうちの１つの映像の切り替わりのタイミングを前記制御信号に基づいて特定し、該特定した切り替わりタイミングで、前記２つのシャッタの一方のシャッタの開閉を制御し、前記第２の偏光の偏光成分を該一方のシャッタにて選択させ、他方のシャッタを閉じる、請求項３７または３８に記載の光シャッタ。
【請求項４０】
表示システムにて、立体映像を構成する視差の異なる３つ以上の映像を時分割多重して表示し、該表示映像を、光を透過する状態と光を遮断する状態を切り替える２つのシャッタを介して観察する立体映像鑑賞方法であって、
前記３つ以上の映像の切り替わりのタイミングを示す制御信号を前記表示システムから受信し、
立体度が異なる複数の立体映像をそれぞれ前記３つ以上の映像のうちの２つの映像の組み合わせにより規定した複数の表示モードから表示モードが指定されると、該指定された表示モードに対応する２つの映像の切り替わりのタイミングをそれぞれ、前記制御信号に基づいて特定し、該特定した各映像の切り替わりタイミングで前記２つのシャッタの開閉をそれぞれ独立に制御する、立体映像鑑賞方法。
【請求項４１】
表示システムにて、第１の立体映像を構成する視差の異なる３つ以上の映像を時分割多重して第１の偏光で表示するとともに、前記第１の立体映像とは一部内容が異なる第２の立体映像を構成する視差の異なる３つ以上の映像を時分割多重して、前記第１の偏光とは偏光成分が異なる第２の偏光で表示し、これら表示映像を、光を透過する状態と光を遮断する状態を切り替える２つのシャッタを介して観察する立体映像鑑賞方法であって、
前記第１および第２の偏光で表示された各映像の切り替わりのタイミングを示す制御信号を前記表示システムから受信し、
前記第１および第２の立体映像のそれぞれについて、立体度が異なる複数の立体映像をそれぞれ前記３つ以上の映像のうちの２つの映像の組み合わせにより規定した複数の表示モードが設定されており、これら表示モードから表示モードが指定されると、該指定された表示モードに対応する２つの映像の切り替わりのタイミングをそれぞれ前記制御信号に基づいて特定し、該特定した各映像の切り替わりタイミングで、前記２つのシャッタの開閉をそれぞれ独立に制御するとともに、前記指定された表示モード対応する２つの映像の表示に用いた偏光の偏光成分を前記２つのシャッタにて選択させる、立体映像鑑賞方法。
【発明の詳細な説明】
【技術分野】
【０００１】
本発明は、少なくとも１台のディスプレイに複数の映像を時分割表示し、複数の観察者が各々所望の映像を選択して観察することができる立体映像鑑賞システムに関する。
【背景技術】
【０００２】
視差を有する右眼用映像と左眼用映像をそれぞれ観察者の左右の眼に見せることによって、立体感のある映像を提供する立体映像システムがある。特に、大型のスクリーンに映像を投影する立体映画は、臨場感溢れる映像で観客を楽しませることができる。【０００３】
しかし、両眼融合立体視に基づく立体表示においては、観察者に視覚疲労を生じさせることが知られている（非特許文献１）。また、立体映画の場合、右眼用映像と左眼用映像が重畳された２重映像がスクリーン上に表示されるため、立体メガネをはずすと、２重映像を観察することになる。２重映像の観察は、観察者の疲労を増大させる。このため、観察者が、両眼融合立体視による視覚疲労が生じた際に、立体メガネをはずして疲労の回復を図ることは困難である。【０００４】
ただし、全ての場合において視覚疲労が生じるわけでない。立体映像の内容によって視覚疲労の度合いは異なる。また、立体視が得意な人や慣れている人は、視覚疲労を生じ難いが、立体視が苦手な人や不慣れの人は著しく視覚疲労を生じる。このように、視覚疲労の度合いは、観察者の立体視能力によって異なり、個人差もある。【０００５】
そこで、観察者の視覚機能の低下を検知し、検知された視覚機能の低下量から推定された疲労度に応じて、立体映像の立体度を調整する立体映像表示装置が特許文献１に開示されている。図１は、特許文献１の立体映像表示装置の構成を示すブロック図である。【０００６】
図１を参照すると、立体映像表示装置は、立体ＴＶ１０２と、立体ＴＶ１０２に映出される立体映像を観賞するための液晶シャッターメガネ１０１を有する。液晶シャッターメガネ１０１は、ＥＯＧ（眼球電位図）波形を検出するための電極１０３と、信号を増幅するためのアンプ１０４を備える。【０００７】
立体ＴＶ１０２は、輻輳検出部１０５、カウンタ１０６、疲労度演算部１０７、立体度調整部１０８および映像表示部１０９を有する。立体ＴＶ１０２では、液晶シャッターメガネ１０１から送られてくる右眼及び左眼についての電位差信号に基づいて、輻輳検出部１０５とカウンタ１０６によって両眼の疲労による輻輳機能の低下が検知される。疲労度演算部１０７が、その検知された輻輳機能の低下量に基づいて目の疲労度を推定する。そして、立体度調整部１０８が、その推定された疲労度に応じて立体度を調整し、映像表示部１０９が、その立体度の調整された映像に基づく立体映像を映出する。【０００８】
上記の立体映像表示装置によれば、観察者の視覚疲労度に応じて適切に立体度を設定することができる。【０００９】
また、観察者が疲労を生じ易い姿勢、例えば、顔を傾けて立体映像を見るような場合は、立体映像の表示を中断する立体画像表示制御装置が、特許文献２に開示されている。図２は、特許文献２の立体画像表示制御装置の構成を示すブロック図である。【００１０】
図２Ａおよび図２Ｂに示すように、立体画像表示制御装置は、画像切替装置１８１、画像表示装置１８２、シャッターメガネ７２、左シャッタ駆動装置１８３Ｌ、右シャッタ駆動装置１８３Ｒ、および駆動選択装置７３を有する。【００１１】
画像切替装置１８１は、左目用画像１Ｌと右目用画像１Ｒを時分割で交互に切り替える。画像表示装置１８２は、画像切替装置１８１によって切り替えられた画像を表示する。シャッターメガネ７２は、画像切替装置１８１に連動して、光を透過または遮光するシャッタ１８４Ｌ、１８４Ｒと、メガネの傾きを検出する傾きセンサ７１を有する。【００１２】
左シャッタ駆動装置１８３Ｌは、シャッタ１８４Ｌを駆動する信号を生成する。右シャッタ駆動装置１８３Ｒは、シャッタ１８４Ｒを駆動する信号を生成する。駆動選択装置７３は、傾きセンサ７１の検出結果に基づいて、右シャッタ１８４Ｒを左シャッタ駆動装置１８３Ｌおよび右シャッタ駆動装置１８３Ｒのいずれに接続するかを決定する。【００１３】
上記の立体画像表示制御装置では、観察者７０の左右の目の並び方向が水平方向と一致する場合で、画像表示装置１８２が右目用画像１Ｒを表示している場合には、左シャッタ１８４Ｌは光を遮断し、右シャッタ１８４Ｒは光を透過する。さらに、画像表示装置１８２が左目用画像１Ｌを表示している場合には、左シャッタ１８４Ｌは光を透過し、右シャッタ１８４Ｒは光を遮断する。このような制御によれば、観察者の左右の目には、それぞれ左目用または右目用の画像だけが入射することになるため、視差を持つ左右の画像を立体的に観察することができる。【００１４】
一方、観察者７０の左右の目の並び方向と水平方向のなす角度が、所定の角度、たとえば２０度を超える場合は、傾きセンサ７１によってメガネの傾きが検出される。このメガネの傾き検出を受けて、駆動選択装置７３が、右シャッタ１８４Ｒを左シャッタ駆動装置１８３Ｌに接続する。左右のシャッタ１８４Ｌ、１８４Ｒは、共に、画像表示装置１８２に左目用画像１Ｌが表示されているときだけ光を透過するので、観察者の左右の目７０Ｌ、７０Ｒには、左目用画像１Ｌだけが入射する。この状態は、立体画像ではない通常の２次元画像を観賞する状態と同じであり、両眼融合立体視による疲労は生じない。【００１５】
上記の立体画像表示制御装置によれば、観察者の顔が傾いたことを検出した場合は、立体画像の表示を中断して、通常の映像を観る場合と同じ状態で映像を鑑賞することができる。【００１６】
特許文献３には、平面モードと立体モードの切り替えが可能な立体映像再生装置が開示されている。この立体映像再生装置では、立体モードが設定された場合は、右映像と左映像が交互に表示され、平面モードが選択された場合には、右映像または左映像が表示される。
【先行技術文献】
【特許文献】
【００１７】
【特許文献１】特開平９−１８８９４号公報（図３）
【特許文献２】特開２００１−２９６５０１号公報（図３８）
【特許文献３】特開２０００−１３４６２号公報（図３）
【非特許文献】
【００１８】
【非特許文献１】映像メディア学会誌  Ｖｏｌ．５７，  Ｎｏ．９，  ｐｐ．１１８７−１１９３
【発明の概要】
【００１９】
上述したように、視覚疲労の度合いは、観察者の立体視能力によって異なり、個人差がある。また、例えば、映画館のように観客からスクリーンまでの距離が座席によって大きく異なる場合、座席によっては、立体映像の撮影条件と観客の観察条件のずれが大きくなる場合がある。この場合、観客は立体度に違和感を覚えることがある。さらに、体調によっても、観客の視覚疲労の度合いは異なってくる。このように、立体視能力は、個人によって一義的に定まっているものではなく、観察する環境によっても変動する。
【００２０】
また、親子で立体映画を楽しむ場合は、視機能の発育段階にある子供に極端に立体度の大きな映像を見させないような配慮も必要となる。
【００２１】
上記のようなことから、多数の観察者が同じ立体映像を鑑賞する場合、観察者毎に、立体視能力や疲労度に応じた立体度の調整を行う必要がある。
【００２２】
しかし、特許文献１の立体映像表示装置は、立体ＴＶ１０２側で立体度を調整する構成であるため、観察者毎に、立体視能力や疲労度に応じた立体映像の立体度の調整を行うことはできない。
【００２３】
特許文献２の立体画像表示制御装置においては、表示される立体映像の立体度は固定であるため、立体映像の表示から立体度を抑制した映像や２次元画像の表示に切り替えて視覚疲労の発生を抑制するといったことはできない。加えて、観察者毎に、立体視能力や疲労度に応じた立体映像の立体度の調整を行うこともできない。
【００２４】
特許文献３に記載の立体映像再生装置においても、表示モードの切り替えを行うだけであり、観察者毎に、立体視能力や疲労度に応じた立体映像の立体度の調整を行うことはできない。
【００２５】
以上のように、特許文献１から３に記載の装置においては、大勢の観客に同じ立体映像を同時に提供して楽しませることと、個人差がある立体視能力の度合いに適応した立体映像を提供して視覚疲労を軽減することを両立させることは困難であった。
【００２６】
本発明の目的は、立体映画のように、大勢の観客が同時に同じ立体映像を鑑賞する場合に、観察者毎に、立体映像の観察条件を設定することができ、視覚疲労を抑制することができる、立体映像鑑賞システム、表示システム、光シャッタおよび立体映像鑑賞方法を提供することにある。
【課題を解決するための手段】
【００２７】
上記目的を達成するため、本発明の立体映像鑑賞システムは、
立体映像を構成する視差の異なる３つ以上の映像を時分割多重して表示するとともに、各映像の切り替わりのタイミングを示す制御信号を出力する表示システムと、
立体度が異なる複数の立体映像をそれぞれ前記３つ以上の映像のうちの２つの映像の組み合わせにより規定した複数の表示モードから任意の表示モードを指定するための入力手段と、
光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで前記２つのシャッタの開閉をそれぞれ独立に制御するシャッタ駆動回路を有する。【００２８】
本発明の別の立体映像鑑賞システムは、
第１の立体映像を構成する視差の異なる３つ以上の映像を時分割多重して第１の偏光で表示し、前記第１の立体映像とは一部内容が異なる第２の立体映像を構成する視差の異なる３つ以上の映像を時分割多重して、前記第１の偏光とは偏光成分が異なる第２の偏光で表示するとともに、前記第１および第２の偏光で表示された各映像の切り替わりのタイミングを示す制御信号を出力する表示システムと、
前記第１および第２の立体映像のそれぞれについて、立体度が異なる複数の立体映像をそれぞれ前記３つ以上の映像のうちの２つの映像の組み合わせにより規定した複数の表示モードが設定されており、これら表示モードから任意の表示モードを指定するための入力手段と、
透過する光の偏光成分を選択可能であり、光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで、前記２つのシャッタの開閉をそれぞれ独立に制御するとともに、該指定表示モード対応する２つの映像の表示に用いた偏光の偏光成分を前記２つのシャッタにて選択させるシャッタ駆動回路を有する。【００２９】
本発明の表示システムは、
立体映像を構成する視差の異なる３つ以上の映像を時分割多重した立体映像信号を出力するとともに、該立体映像信号のフレームの切り替わりを示す制御信号を出力する制御手段と、
前記制御手段からの立体映像信号に基づく映像を表示する表示手段を有し、
前記制御信号に基づき、前記３つ以上の映像のうちの２つの映像の組み合わせにより立体度が異なる複数の立体映像が外部装置へ提供される。【００３０】
本発明の別の表示システムは、
第１の立体映像を構成する視差の異なる３つ以上の映像を時分割多重した第１の立体映像信号と前記第１の立体映像とは一部内容が異なる第２の立体映像を構成する視差の異なる３つ以上の映像を時分割多重した第２の立体映像信号をそれぞれ出力するとともに、各立体映像信号のフレームの切り替わりのタイミングを示す制御信号を出力する制御手段と、
前記第１の立体映像信号に基づく映像を第１の偏光で表示し、前記第２の立体映像信号に基づく映像を前記第１の偏光とは偏光成分が異なる第２の偏光で表示する表示手段を有し、
前記制御信号に基づき、前記第１および第２の立体映像のそれぞれについて、該立体映像を構成する前記３つ以上の映像のうちの２つの映像の組み合わせにより立体度が異なる複数の立体映像が外部装置へ提供される。【００３１】
本発明の光シャッタは、
立体映像を構成する視差の異なる３つ以上の映像を時分割多重して表示するとともに、各映像の切り替わりのタイミングを示す制御信号を出力する表示システムと通信可能な光シャッタであって、
立体度が異なる複数の立体映像をそれぞれ前記３つ以上の映像のうちの２つの映像の組み合わせにより規定した複数の表示モードから任意の表示モードを指定するための入力手段と、
光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで前記２つのシャッタの開閉をそれぞれ独立に制御するシャッタ駆動回路を有する。【００３２】
本発明の別の光シャッタは、
第１の立体映像を構成する視差の異なる３つ以上の映像を時分割多重して第１の偏光で表示し、前記第１の立体映像とは一部内容が異なる第２の立体映像を構成する視差の異なる３つ以上の映像を時分割多重して、前記第１の偏光とは偏光成分が異なる第２の偏光で表示するとともに、前記第１および第２の偏光で表示された各映像の切り替わりのタイミングを示す制御信号を出力する表示システムと通信可能な光シャッタであって、
前記第１および第２の立体映像のそれぞれについて、立体度が異なる複数の立体映像をそれぞれ前記３つ以上の映像のうちの２つの映像の組み合わせにより規定した複数の表示モードが設定されており、これら表示モードから任意の表示モードを指定するための入力手段と、
透過する光の偏光成分を選択可能であり、光を透過する状態と光を遮断する状態を切り替える２つのシャッタと、
前記入力手段にて指定された表示モードに対応する２つの映像の切り替わりのタイミングをそれぞれ前記制御信号に基づいて特定し、該特定した各映像の切り替わりタイミングで、前記２つのシャッタの開閉をそれぞれ独立に制御するとともに、該指定された表示モード対応する２つの映像の表示に用いた偏光の偏光成分を前記２つのシャッタにて選択させるシャッタ駆動回路を有する。【００３３】
本発明の立体映像鑑賞方法は、
表示システムにて、立体映像を構成する視差の異なる３つ以上の映像を時分割多重して表示し、該表示映像を、光を透過する状態と光を遮断する状態を切り替える２つのシャッタを介して観察する立体映像鑑賞方法であって、
前記３つ以上の映像の切り替わりのタイミングを示す制御信号を前記表示システムから受信し、
立体度が異なる複数の立体映像をそれぞれ前記３つ以上の映像のうちの２つの映像の組み合わせにより規定した複数の表示モードから表示モードが指定されると、該指定された表示モードに対応する２つの映像の切り替わりのタイミングをそれぞれ、前記制御信号に基づいて特定し、該特定した各映像の切り替わりタイミングで前記２つのシャッタの開閉をそれぞれ独立に制御することを特徴とする。【００３４】
本発明の別の立体映像鑑賞方法は、
表示システムにて、第１の立体映像を構成する視差の異なる３つ以上の映像を時分割多重して第１の偏光で表示するとともに、前記第１の立体映像とは一部内容が異なる第２の立体映像を構成する視差の異なる３つ以上の映像を時分割多重して、前記第１の偏光とは偏光成分が異なる第２の偏光で表示し、これら表示映像を、光を透過する状態と光を遮断する状態を切り替える２つのシャッタを介して観察する立体映像鑑賞方法であって、
前記第１および第２の偏光で表示された各映像の切り替わりのタイミングを示す制御信号を前記表示システムから受信し、
前記第１および第２の立体映像のそれぞれについて、立体度が異なる複数の立体映像をそれぞれ前記３つ以上の映像のうちの２つの映像の組み合わせにより規定した複数の表示モードが設定されており、これら表示モードから表示モードが指定されると、該指定された表示モードに対応する２つの映像の切り替わりのタイミングをそれぞれ前記制御信号に基づいて特定し、該特定した各映像の切り替わりタイミングで、前記２つのシャッタの開閉をそれぞれ独立に制御するとともに、前記指定された表示モード対応する２つの映像の表示に用いた偏光の偏光成分を前記２つのシャッタにて選択させることを特徴とする。
【図面の簡単な説明】
【００３５】
【図１】特開平９−１８８９４号公報に記載の立体映像表示装置の構成を示すブロック図である。
【図２Ａ】特開２００１−２９６５０１号公報に記載の立体画像表示制御装置の状態を示すブロック図である。
【図２Ｂ】特開２００１−２９６５０１号公報に記載の立体画像表示制御装置の別の状態を示すブロック図である。
【図３】本発明の第１の実施形態である立体映像鑑賞システムの構成を示すブロック図である。
【図４】本発明の第１の実施形態の立体映像鑑賞システムにおける制御手段の構成を示すブロック図である。
【図５】本発明の第１の実施形態の立体映像鑑賞システムにおける表示手段および光シャッタの具体的な構成を示す図である。
【図６】本発明の第１の実施形態の立体映像鑑賞システムにおける光シャッタの動作を説明するためのタイミングチャートである。
【図７】本発明の第２の実施形態である立体映像鑑賞システムにおける制御手段の構成を示すブロック図である。
【図８】本発明の第３の実施形態である立体映像鑑賞システムの構成を示すブロック図である。
【図９】本発明の第３の実施形態の立体映像鑑賞システムにおける表示手段と光シャッタの具体的構成を示す図である。
【図１０】本発明の第４の実施形態である立体映像鑑賞システムの構成を示すブロック図である。
【図１１】本発明の第４の実施形態の立体映像鑑賞システムにおける制御手段の構成を示すブロック図である。
【図１２】本発明の第４の実施形態の立体映像鑑賞システムにおける表示手段および光シャッタの構成を示す図である。
【図１３Ａ】本発明の第４の実施形態の立体映像鑑賞システムにおける右眼光シャッタおよび左眼光シャッタの状態を示す図である。
【図１３Ｂ】本発明の第４の実施形態の立体映像鑑賞システムにおける右眼光シャッタおよび左眼光シャッタの別の状態を示す図である。
【図１３Ｃ】本発明の第４の実施形態の立体映像鑑賞システムにおける右眼光シャッタおよび左眼光シャッタのさらに別の状態を示す図である。
【符号の説明】
【００３６】
１  立体映像鑑賞システム
２  表示システム
３  光シャッタ
４  制御手段
５  表示手段
６  シャッタ手段
７  入力手段
８  光シャッタ
９  偏光板
２１、２２、２３、２８、２９、３０  映像再生装置
２４  制御回路
２５  メモリ
２６  合成回路
２７  立体映像生成装置
３１、３３、３４、３５、５１、５２  プロジェクタ
３２  スクリーン
３６  第１光シャッタ
３７  第２光シャッタ
３８  第３光シャッタ
４１  立体メガネ
４２、４５  右眼光シャッタ
４３、４６  左眼光シャッタ
４４、４７  光シャッタ駆動回路
５３  垂直偏光板
５４  水平偏光板
６１、６４  液晶セル
６２、６３  偏光板
【発明を実施するための形態】
【００３７】
以下、本発明における一実施形態を、図面を参照して説明する。
【００３８】
（第１の実施形態）
図３は、本発明の第１の実施形態である立体映像鑑賞システムの構成を示すブロック図である。本実施形態において、各々の観察者は、通常の立体表示と、立体度を抑制した立体表示と、２次元画像表示の３つの表示モードの中から、自分に適した表示モードを適宜に選択して鑑賞することにより、視覚疲労が生じにくい見やすい立体映像を鑑賞できる。
【００３９】
図３に示すように、立体映像鑑賞システム１は、表示システム２と光シャッタ３を有する。表示システム２は、制御手段４および表示手段５からなる。光シャッタ３は、シャッタ手段６および入力手段７からなる。
【００４０】
制御手段４は、立体映像を構成する右眼用映像Ｒおよび左眼用映像Ｌ１、立体度を抑制した左眼用映像Ｌ２の各映像信号を時分割多重して立体映像信号を生成し、その立体映像信号を表示手段５に送る。同時に、制御手段４は、映像のフレームの切り替わりを示す制御信号をシャッタ手段６に送る。
【００４１】
表示手段５は、入力された立体映像信号から、右眼用映像Ｒと、左眼用映像Ｌ１と、立体度を抑制した左眼用映像Ｌ２を時系列に切り替えて表示する。シャッタ手段６は、例えば液晶光シャッタであって、立体メガネを構成する右眼用の液晶光シャッタおよび左眼用の液晶光シャッタからなる。右眼用および左眼用の各液晶光シャッタは、それぞれ独立に開閉を制御することができる。
【００４２】
入力手段７は、表示モードの選択が可能であり、観察者が選択した表示モードを示す信号をシャッタ手段６に供給する。シャッタ手段６は、観察者が入力手段７にて選択した表示モードに従って、制御手段４からの制御信号を基準に右眼用および左眼用の各液晶光シャッタの開閉タイミングを決定し、各液晶光シャッタの開閉を制御する。
【００４３】
図４は、制御手段４の具体的な構成を示すブロック図である。図４を参照すると、制御手段４は、３台の映像再生装置２１、２２、２３と、制御回路２４と、メモリ２５と、合成回路２６とから構成される。
【００４４】
映像再生装置２１は、右眼用映像Ｒが記録された媒体を再生する。映像再生装置２２は、左眼用映像Ｌ１が記録された媒体を再生する。映像再生装置２３は、立体度を抑制した左眼用映像Ｌ２が記録された媒体を再生する。映像再生装置２１、２２、２３のそれぞれには、同期信号が制御回路２４から供給されている。映像再生装置２１、２２、２３では、制御回路２４からの同期信号に基づいて、各媒体の各フレームが同期して再生される。映像再生装置２１、２２、２３のそれぞれで同期して再生された映像信号はメモリ２５に出力される。
【００４５】
ここで、右眼用映像Ｒ、左眼用映像Ｌ１および左眼用映像Ｌ２をそれぞれ記録した媒体の作成手順を簡単に説明する。右眼用映像Ｒ、左眼用映像Ｌ１および左眼用映像Ｌ２を取得するために、人間の両眼の間隔に配置した第１および第２のカメラと、これらカメラ間の中間位置に配置した第３のカメラが用いられる。第１および第２のカメラでそれぞれ右眼用映像Ｒと左眼用映像Ｌ１を撮影すると同時に、第３のカメラで立体度を抑制した左眼用映像Ｌ２を撮影する。第１乃至第３のカメラからの映像をそのまま、あるいは編集、加工して媒体、例えば磁気テープに記録する。こうして右眼用映像Ｒ、左眼用映像Ｌ１および左眼用映像Ｌ２がそれぞれ記録された媒体を得る。記録媒体として、磁気テープの他、ＤＶＤやハードディスクなどを用いることができる。
【００４６】
なお、映像再生装置２１、２２、２３はそれぞれ異なる場所に設置されてもよい。この場合は、映像再生装置２１、２２、２３からネットワークを経由してメモリ２５に右眼用映像Ｒ、左眼用映像Ｌ１および左眼用映像Ｌ２がそれぞれ供給される。
【００４７】
また、３台の映像再生装置２１、２２、２３に代えて、同期制御された上記の第１乃至第３のカメラからの各映像出力信号を直接、メモリに送ることも可能である。
【００４８】
右眼用映像Ｒ、左眼用映像Ｌ１および立体度を抑制した左眼用映像Ｌ２の各画像データは、フレーム単位でメモリ２５に蓄積される。制御回路２４により、メモリ２５からの画像データの読み出しが制御される。メモリ２５では、蓄積された各画像データが、同期信号の３倍の周波数で順次読み出される。メモリ２５から読み出された各画像データは、合成回路２６に供給される。
【００４９】
合成回路２６の動作は、制御回路２４により制御される。合成回路２６は、メモリ２５から同期信号の３倍の周波数で順に読み出された各画像データを時間多重する。すなわち、合成回路２６は、３倍の周波数で、右眼用映像Ｒと、左眼用映像Ｌ１と、立体度を抑制した左眼用映像Ｌ２の各信号が時系列的に合成され立体映像信号を生成する。この合成回路２６による立体映像信号の生成時に、制御回路２４は、生成される立体映像信号に同期した制御信号を生成する。
【００５０】
なお、合成回路２６にて生成された立体映像信号を記録媒体に記録し、必要なときにその記録媒体を再生するように、表示システム２を構成してもよい。この場合、制御信号は、記録媒体の再生により得られる立体映像信号に同期した同期信号から生成される。
【００５１】
図５は、表示手段５および光シャッタ３の具体的構成を示す図である。
【００５２】
図５に示す表示手段５は、プロジェクタ３１とスクリーン３２とから構成される。プロジェクタ３１は、制御手段４から送られてきた立体映像信号を入力とし、右眼用映像Ｒと、左眼用映像Ｌ１と、立体度を抑制した左眼用映像Ｌ２を時系列的にスクリーン３２へ投射する。
【００５３】
観察者は、図５に示す光シャッタ３を通して立体映像を鑑賞する。光シャッタ３は、右眼光シャッタ４２と左眼光シャッタ４３と光シャッタ駆動回路４４からなるシャッタ手段６と、表示モードを選択するための入力手段７とから構成される。この例では、光シャッタ３はメガネの形状をした立体メガネ４１とした。
【００５４】
右眼光シャッタ４２および左眼光シャッタ４３は液晶光シャッタであり、透明電極が形成された２枚のガラス基板でセルを形成し、間隙に液晶を注入した液晶セルに、その光の入出射面に偏光板を貼り付けて構成されている。右眼光シャッタ４２および左眼光シャッタ４３のそれぞれは、透明電極に電圧が印加されていないときは光を透過し、透明電極に電圧を印加すると、光を遮蔽する状態になるように動作する。
【００５５】
光シャッタ駆動回路４４は、入力手段７により観察者が選択した表示モードに従って、制御手段４から送られてきた制御信号を基準に開閉タイミングを決定し、右眼光シャッタ４２および左眼光シャッタ４３の開閉を独立に制御する。
【００５６】
なお、図５において、光シャッタ駆動回路４４への制御信号の供給は、有線通信により行われてもよく、また、赤外線通信や無線通信により行われてもよい。
【００５７】
入力手段７や光シャッタ駆動回路４４は、立体メガネ４１に内蔵せず、別ユニットとして設けても良い。例えば、映画館であれば、入力手段７や光シャッタ駆動回路４４を前の座席の背もたれの部分に取り付け、液晶光シャッタを駆動する信号が光シャッタ駆動回路４４から立体メガネ４１に供給されても構わない。
【００５８】
図６は、表示手段５で表示している表示映像と、制御信号と、各表示モードにおける立体メガネ４１の光シャッタの状態の関係を示すタイミングチャートである。
【００５９】
表示映像は、右眼用映像Ｒと、左眼用映像Ｌ１と、立体度を抑制した左眼用映像Ｌ２をそれぞれ６０Ｈｚの繰り返し周波数で表示したものである。すなわち、各フレームの映像は、１８０Ｈｚの周波数で切り替えられて表示される。
【００６０】
制御信号は、例えば右眼用映像Ｒが表示されているときだけハイレベルになるように設定された信号であり、この信号を基準に左眼用映像Ｌ１と、立体度を抑制した左眼用映像Ｌ２の表示タイミングを特定できる。制御信号は、図６に示した信号に限定されるものではなく、各映像のフレームの切り替わりタイミングを特定できるのであれば、どのような信号であってもよい。
【００６１】
立体視が得意な人や慣れている人は、表示モードとして、通常の立体表示を選択する。通常の立体表示を選択すると、光シャッタは、制御信号を基準に右眼用映像Ｒが表示されているときに右眼光シャッタ４２を開け、左眼用映像Ｌ１が表示されているときに左眼光シャッタ４３を開けるように制御される。観察者は、右眼用映像Ｒと左眼用映像Ｌ１をそれぞれ左右の眼で見ることになるので、通常の立体感のある映像を鑑賞できる。
【００６２】
一方、立体視が苦手な人や慣れていない人は、立体度を抑制した立体表示を選択する。立体度を抑制した立体表示を選択すると、光シャッタは、制御信号を基準に右眼用映像Ｒが表示されているときに右眼光シャッタ４２を開け、立体度が抑制された左眼用映像Ｌ２が表示されているときに左眼光シャッタ４３を開けるように制御される。観察者は、右眼用映像Ｒと左眼用映像Ｌ２をそれぞれ左右の眼で見ることになるので、立体度が抑制された映像を鑑賞できる。
【００６３】
さらに、立体視が困難な人、あるいは視覚疲労を自覚した人は、２次元画像表示を選択する。２次元画像表示を選択すると、光シャッタは、制御信号を基準に右眼用映像Ｒが表示されているときに、右眼、左眼光シャッタを同時に開けるように制御する。観察者は、視差の無い同じ右眼用映像Ｒを左右の眼で見ることになるので、通常の２次元画像を観賞する場合と同じように映像を鑑賞する。この場合は、両眼融合立体視による疲労を生じることはない。
【００６４】
図６には示していないが、右眼、左眼光シャッタのどちらか一方を常に閉じておき、もう一方の光シャッタを、例えば右眼用映像Ｒが表示されているときに開けるという表示モードを設けても良い。片目で映像を観察すると、スクリーンが平面であることを知覚しにくくなり、両眼視差以外の奥行き手がかり、例えば映像の動き、パースペクティブ、陰影などによって奥行き感を得ることができるので、両眼視差による立体視が困難な人でも立体感のある映像を鑑賞できる。この手法は、特に映画のような大画面映像のときに効果的に作用する。
【００６５】
本実施形態によれば、立体映画のように、大勢の観客が同時に同じ立体映像を鑑賞する場合でも、立体視の能力にそれぞれ個人差のある観察者、年齢の異なる観察者、座席の位置が異なる観察者それぞれが、その場で個々に立体映像の立体度を設定することができるので、視覚疲労を生じにくくなり、より多くの人が見やすい立体映像を鑑賞できるというユニバーサルデザインに配慮した立体映像鑑賞システムが得られる。
【００６６】
本実施形態において、右眼用映像Ｒと、左眼用映像Ｌ１と、立体度を抑制した左眼用映像Ｌ２を用いた場合について説明したが、人間の眼の間隔に配置した２台のカメラのさらに外側に配置したカメラで立体度を強調した左眼用映像Ｌ３を撮影したものを用いても良い。この場合、表示映像は、右眼用映像Ｒと、左眼用映像Ｌ１と、立体度を抑制した左眼用映像Ｌ２と、立体度を強調した左眼用映像Ｌ３の４つの映像を６０Ｈｚの繰り返し周波数で表示したものとなり、各フレームの映像は２４０Ｈｚの周波数で切り替えられて表示される。表示モードは、通常の立体表示と、立体度を抑制した立体表示と、立体度を強調した立体表示と、２次元画像表示の４つの表示モードを含む。この場合、立体メガネ４１の動作制御は、その表示モードにあわせて開閉を制御すればよい。５つ以上の映像を用いる場合も同様である。
【００６７】
上記説明において、立体映像はカメラで撮影した立体映像を用いて説明したが、コンピュータグラフィックの技術を用いて作成した立体映像を用いても、同様の立体映像鑑賞システムが得られる。
【００６８】
表示手段５として、プロジェクタ３１とスクリーン３２を用いる投射型の表示装置の例を用いて説明したが、液晶テレビやプラズマテレビなどの直視型の表示装置を用いてもよい。
【００６９】
制御手段４から光シャッタ４に送られる制御信号は、表示手段５を経由してシャッタ手段６に送られても良い。
【００７０】
（第２の実施形態）
図７は、本発明の第２の実施形態である立体映像鑑賞システムにおける制御手段４の構成を示すブロック図である。
【００７１】
本実施形態では、立体度の異なる複数の立体映像を、より少ない映像から生成することにより多様なコンテンツを利用して、多くの人が、見やすい立体映像を鑑賞できる。本実施形態の立体映像鑑賞システムは、３台の映像再生装置２１、２２、２３に代えて、立体映像生成装置２７を用いており、この点で第１の実施形態と異なる。
【００７２】
立体映像生成装置２７は、上述した３台のカメラで撮影した映像を用いるのではなく、より少ない映像から複数の立体映像を生成する装置である。立体映像生成装置２７は、例えば、動きのある２次元の映像から立体度の異なる複数の立体映像を生成する技術や、２次元画像データとデプスマップから立体度の異なる複数の立体映像を生成する技術や、１組の立体画像からその中間の画像を補間したり、外挿したりして立体度の異なる複数の立体映像を生成する技術などの既存の技術を用いて、右眼用映像Ｒと、左眼用映像Ｌ１と、立体度を抑制した左眼用映像Ｌ２をリアルタイムで生成する。これら映像を制御手段４の映像源として用いてもよい。
【００７３】
この構成によれば、立体度を抑制した左眼用映像Ｌ２が存在しないコンテンツ、あるいは立体映像が存在しない２次元映像のみのコンテンツも利用して、第１の実施形態と同様の効果が得られる。
【００７４】
（第３の実施の形態）
図８は、本発明の第３の実施形態である立体映像鑑賞システムの構成を示すブロック図である。
【００７５】
本実施形態では、高速表示が困難な表示装置を用いても、多くの人が見やすい立体映像を鑑賞できる立体映像鑑賞システムを構築できる。
【００７６】
図８に示す立体映像鑑賞システム１は、制御手段４および表示手段５からなる表示システム２と、シャッタ手段６および入力手段７からなる光シャッタ３を有する。表示手段５は、光シャッタ８を備える。制御手段４は、立体映像を構成する右眼用映像Ｒおよび左眼用映像Ｌ１と、さらに立体度を抑制した左眼用映像Ｌ２の映像信号を同期して再生し、その映像信号を表示手段５に送る。同時に、制御手段４は、映像のフレームの切り替わりを示す制御信号をシャッタ手段６および光シャッタ８に送る。光シャッタ３の構成と動作は第１の実施形態と同じである。制御手段４における映像Ｒ、Ｌ１、Ｌ２を出力または生成する機能部として、第１の実施形態で説明した立体映像生成装置（３つ以上の映像再生装置）や第２の実施形態で説明した立体映像生成装置を適用することができる。
【００７７】
図９は、表示手段５の具体的な構成を示す図である。
【００７８】
図９に示す表示手段５は、３台のプロジェクタ３３、３４、３５と、スクリーン３２と、光シャッタ８とから構成される。光シャッタ８は、第１光シャッタ３６、第２光シャッタ３７および第３光シャッタ３８を備える。これら光シャッタ３６、３７、３８はそれぞれ３台のプロジェクタ３３、３４、３５の光の出射位置に配置されている。
【００７９】
３台のプロジェクタ３３、３４、３５は、制御手段４から送られてきた映像信号を入力とし、右眼用映像Ｒと、左眼用映像Ｌ１と、立体度を抑制した左眼用映像Ｌ２を時系列的にスクリーン３２へ向けて投射する。
【００８０】
第１光シャッタ３６、第２光シャッタ３７、第３光シャッタ３８は、制御手段４からの制御信号によりそれらの開閉が制御される。具体的には、図６のタイミングチャートに示したように、右眼用映像Ｒと、左眼用映像Ｌ１と、立体度を抑制した左眼用映像Ｌ２が１８０Ｈｚの周波数で切り替わるような映像がスクリーン３２に投影されるように、各光シャッタ３６、３７、３８の開閉タイミングと期間が制御される。結果として、スクリーン３２に投影される映像は、第１の実施形態と同じものとなる。
【００８１】
この構成によれば、プロジェクタが高速に映像を切り替えて表示しなくても、第１の実施形態と同様の効果が得られる。
【００８２】
（第４の実施形態）
図１０は、本発明の第４の実施形態である立体映像鑑賞システムの構成を示すブロック図である。
【００８３】
本実施形態では、立体度に加えて立体映像の観察条件を選択できるようにすることで、より多くの人が見やすい立体映像を鑑賞できる。
【００８４】
本実施形態において、観察者は、通常の立体表示と、立体度を抑制した立体表示と、２次元画像表示の３つの表示モードそれぞれに対して、字幕有り、字幕無しの２通りのモードが設定された、計６つの表示モードの中から、自分に適した表示モードを選択して鑑賞することにより、各々の観察者は、視覚疲労が生じにくい、見やすい立体映像を鑑賞できる。
【００８５】
図１０に示す立体映像鑑賞システム１は、制御手段４および表示手段５からなる表示システム２と、シャッタ手段６および入力手段７からなる光シャッタ３とを有する。制御手段４は、立体映像生成手段を備える。立体映像生成手段は、字幕無しの立体映像を構成する右眼用映像Ｒ１および左眼用映像Ｌ１と立体度を抑制した左眼用映像Ｌ２の各映像信号を、時分割多重して立体映像信号を生成するとともに、字幕有りの立体映像を構成する右眼用映像Ｒ２および左眼用映像Ｌ３と立体度を抑制した左眼用映像Ｌ４の各映像信号を時分割多重して立体映像信号を生成する。制御手段４は、それら生成した立体映像信号を表示手段５に送る。同時に、制御手段４は、映像のフレームの切り替わりを示す制御信号をシャッタ手段６に送る。
【００８６】
表示手段５は、入力立体映像信号に含まれている字幕無しの映像である、右眼用映像Ｒ１、左眼用映像Ｌ１および立体度を抑制した左眼用映像Ｌ２を、時系列に切り替えて表示すると同時に、入力立体映像信号に含まれている字幕有りの映像である、右眼用映像Ｒ２、左眼用映像Ｌ３および立体度を抑制した左眼用映像Ｌ４を、時系列に切り替えて表示する。ただし、字幕無しの映像と字幕有りの映像は、それらの表示における投射光の偏光方向が互いに直交するようにして、合成表示する。
【００８７】
シャッタ手段６は、例えば液晶光シャッタの前面に偏光を選択するための偏光スイッチを備えており、立体メガネを構成する右眼、左眼の光シャッタはそれぞれ独立に開閉が制御できるとともに、偏光の選択が可能となっている。シャッタ手段６は、入力手段７により観察者が選択した表示モードに従って、選択する偏光を切り替え、さらに制御信号を基準に開閉タイミングを決定し、右眼、左眼の光シャッタの開閉を制御する。
【００８８】
図１１は、第４の実施形態における制御手段４の具体的な構成を示すブロック図である。
【００８９】
図１１に示す制御手段４（立体映像生成手段）は、６台の映像再生装置２１、２２、２３、２８、２９、３０と、制御回路２４と、メモリ２５と、合成回路２６とから構成される。
【００９０】
映像再生装置２１は、字幕無しの右眼用映像Ｒ１が記録された媒体を再生する。映像再生装置２２は、字幕無しの左眼用映像Ｌ１が記録された媒体を再生する。映像再生装置２３は、立体度を抑制した字幕無しの左眼用映像Ｌ２が記録された媒体を再生する。映像再生装置２８は、字幕有りの右眼用映像Ｒ２が記録された媒体を再生する。映像再生装置２９は、字幕有りの左眼用映像Ｌ３が記録された媒体を再生する。映像再生装置２９は、立体度を抑制した字幕有りの左眼用映像Ｌ４が記録された媒体を再生する。これら映像再生装置２１、２２、２３、２８、２９、３０は、同期信号により各フレームを同期して再生し、それぞれで再生した映像信号はメモリ２５に出力される。
【００９１】
字幕無しの映像である、右眼用映像Ｒ１、左眼用映像Ｌ１および立体度を抑制した左眼用映像Ｌ２の各画像データはフレーム単位でメモリ２５に蓄積される。メモリ２５に蓄積された各画像データは、制御回路２４によって、同期信号の３倍の周波数で読み出される。メモリ２５から読み出された画像データを合成回路２６で時間多重する。これと同様に、字幕有りの映像である、右眼用映像Ｒ２、左眼用映像Ｌ３および立体度を抑制した左眼用映像Ｌ４の各画像データもフレーム単位でメモリ２５に蓄積される。メモリ２５に蓄積された各画像データは、制御回路２４によって、同期信号の３倍の周波数で読み出される。メモリ２５から読み出された画像データを合成回路２６で時間多重する。このように、合成回路２６は、同期信号の３倍の周波数で、右眼用映像Ｒ１、左眼用映像Ｌ１および立体度を抑制した左眼用映像Ｌ２の各信号が時系列的に合成された字幕無しの立体映像信号と、右眼用映像Ｒ２、左眼用映像Ｌ３および立体度を抑制した左眼用映像Ｌ４の各信号が時系列的に合成された字幕有りの立体映像信号とを生成する。このとき、制御回路２４は、生成される立体映像信号に同期した制御信号を生成する。
【００９２】
なお、生成された２つの立体映像信号を、記録媒体に録画しておき、必要なときに再生する構成であっても構わない。この場合、制御信号は、その再生時の同期信号から生成される。
【００９３】
また、制御手段４（立体映像生成手段）には、第２の実施形態における、立体度の異なる複数の立体映像を、より少ない映像から生成する立体映像生成装置を適用可能である。この場合は、立体映像生成手段は、字幕無しの映像と字幕有りの映像のそれぞれについて、視差の異なる３つ以上の映像を、これら映像の数より少ない映像データから生成する。
【００９４】
図１２は、表示手段５および光シャッタ３の具体的な構成を示す図である。
【００９５】
図１２に示す表示手段５は、２台のプロジェクタ５１、５２と、スクリーン３２と、偏光板９とから構成される。偏光板９は、垂直偏光板５３および水平偏光板５４から構成されている。垂直偏光板５３および水平偏光板５４は、それぞれ２台のプロジェクタ５１、５２の光の出射位置に配置されている。プロジェクタ５１は、制御手段２から送られてきた字幕無しの立体映像信号を入力とし、プロジェクタ５２は、制御手段２から送られてきた字幕有りの立体映像信号を入力とする。
【００９６】
プロジェクタ５１は、字幕無しの立体映像信号に基づいて、右眼用映像Ｒ１、左眼用映像Ｌ１および立体度を抑制した左眼用映像Ｌ２を時系列的にスクリーン３２へ向けて投射する。このときの投射光の偏光方向は、垂直偏光板５３により垂直方向となっている。
【００９７】
一方、プロジェクタ５２は、字幕有りの立体映像信号に基づいて、右眼用映像Ｒ２、左眼用映像Ｌ３および立体度を抑制した左眼用映像Ｌ４を時系列的にスクリーン３２へ向けて投射する。このときの投射光の偏光方向は、水平偏光板５４により水平方向となっている。
【００９８】
つまり、プロジェクタ５１からスクリーン３２に投射される字幕無しの立体映像の偏光方向と、プロジェクタ５２からスクリーン３２に投射される字幕有りの立体映像の偏光方向は、互いに直交する。
【００９９】
観察者は、図１２に示す光シャッタ３を通して立体映像を鑑賞する。光シャッタ３は、右眼光シャッタ４５、左眼光シャッタ４６および光シャッタ駆動回路４７からなるシャッタ手段６と、表示モードを選択するための入力手段７とから構成される。この例では、光シャッタ３は、メガネの形状をした立体メガネ４１としている。
【０１００】
右眼光シャッタ４５および左眼光シャッタ４６のそれぞれは、液晶光シャッタの前面に偏光を選択するための偏光スイッチを備える。液晶光シャッタは、透明電極が形成された２枚のガラス基板でセルを形成し、間隙に液晶を注入した液晶セルに、その光の入出射面に偏光板を貼り付けて構成されている。この液晶光シャッタは、透明電極に電圧が印加されていないときは光を透過し、透明電極に電圧を印加すると、光を遮蔽する状態になるように動作する。偏光スイッチは、液晶光シャッタの偏光板が貼られていない構成であり、透明電極に電圧が印加されていないときは、入射した光の偏光方向を９０度回転して透過し、透明電極に電圧を印加すると、入射した光の偏光方向を変えずに透過するように動作する。
【０１０１】
光シャッタ駆動回路４７は、入力手段７により観察者が選択した表示モードに従って、透過する偏光を選択するとともに、制御手段４から送られてきた制御信号を基準に開閉タイミングを決定し、右眼光シャッタ４５および左眼光シャッタ４６の開閉を独立に制御する。
【０１０２】
右眼光シャッタ４５および左眼光シャッタ４６は同じ構成のものである。図１３Ａ、図１３Ｂおよび図１３Ｃは、右眼光シャッタ４５および左眼光シャッタ４６として用いる光シャッタの構成と動作を説明するための図である。
【０１０３】
図１３Ａ、図１３Ｂおよび図１３Ｃに示す光シャッタは、液晶セル６４、偏光板６２、液晶セル６１および偏光板６３が順に配置され、液晶セル６４側から光が入射する。なお、簡単のため、液晶に電圧を印加するための透明電極や駆動回路等は省略している。
【０１０４】
液晶セル６４は、偏光スイッチとして作用する。偏光板６２、液晶セル６１および偏光板６３は、液晶光シャッタとして作用する。
【０１０５】
この光シャッタは、Ｐ偏光を透過し、Ｓ偏光を遮断する状態と、Ｐ偏光を遮断し、Ｓ偏光を透過する状態と、Ｐ偏光およびＳ偏光をともに遮断する状態の３つの状態を切り替えることができる。
【０１０６】
図１３Ａには、Ｐ偏光を透過し、Ｓ偏光を遮断する状態が模式的に示されている。図１３Ｂには、Ｐ偏光を遮断し、Ｓ偏光を透過する状態が模式的に示されている。図１３Ｃには、Ｐ偏光およびＳ偏光をともに遮断する状態が模式的に示されている。
【０１０７】
ここで、液晶セル６１、６４は、透明電極に電圧が印加されていないときは、入射した光の偏光方向を９０度回転して透過し、透明電極に電圧を印加すると、入射した光の偏光方向を変えずに透過するように動作する。偏光板６２は、垂直方向の偏光を透過するように配置され、偏光板６３は、水平方向の偏光を透過するように配置されている。
【０１０８】
図１３Ａに示した状態では、電圧が液晶セル６４に印加され、液晶セル６１には電圧が印加されていない。Ｐ偏光は、その偏光状態を維持したまま液晶セル６４を透過するので、この液晶セル６４からの光は偏光板６２を透過する。この偏光板６２を透過した光は、液晶セル６１においてその偏光方向が９０度回転し、偏光板６３を透過する。一方、Ｓ偏光も、その偏光状態を維持したまま液晶セル６４を透過するが、この液晶セル６４からの光は、その偏光方向が垂直方向と直交しているので、偏光板６２を透過することができず、偏光板６２により遮断される。したがって、光シャッタは、Ｐ偏光を透過し、Ｓ偏光を遮断する状態となる。
【０１０９】
図１３Ｂに示した状態では、液晶セル６４および液晶セル６１のいずれにも電圧が印加されていない。Ｐ偏光は、液晶セル６４にてその偏光方向が９０度回転するので、偏光板６２を透過することができず、偏光板６２により遮断される。一方、Ｓ偏光は、液晶セル６４にてその偏光方向が９０度回転するので、偏光板６２を透過する。この偏光板６２を透過した光は、液晶セル６１にてその偏光方向が９０度回転するので、偏光板６３を透過する。したがって、光シャッタは、Ｐ偏光を遮断し、Ｓ偏光を透過する状態となる。
【０１１０】
図１３Ｃに示した状態では、電圧が液晶セル６１に印加され、液晶セル６４には電圧が印加されていない。Ｐ偏光は、液晶セル６４にてその偏光方向が９０度回転するので、偏光板６２を透過することができず、偏光板６２により遮断される。一方、Ｓ偏光は、液晶セル６４にてその偏光方向が９０度回転するので、偏光板６２を透過する。この偏光板６２を透過した光は、液晶セル６１をその偏光状態を維持したまま透過するので、偏光板６３を透過することができず、偏光板６３により遮断される。したがって、光シャッタは、Ｐ偏光およびＳ偏光をともに遮断する状態となる。
【０１１１】
各表示モードにおける表示映像に対する液晶光シャッタの駆動タイミングは、図６に示したタイミングチャートに基づく駆動タイミングと同様である。つまり、右眼光シャッタ４５と左眼光シャッタ４６では、偏光スイッチによりプロジェクタ５１からの映像を見るのか、プロジェクタ５２からの映像を見るのか、言い換えると、字幕無しの立体映像を見るのか、字幕有りの立体映像を見るのかが選択される。同時に、右眼光シャッタ４５と左眼光シャッタ４６では、液晶光シャッタにより、どのタイミングの映像をみるのか、言い換えると、通常の立体表示を見るのか、立体度を抑制した立体表示を見るのか、２次元画像表示を見るのかが選択される。したがって、これらの組み合わせにより、観察者は、通常の立体表示と、立体度を抑制した立体表示と、２次元画像表示の３つの表示モードそれぞれに対して、字幕有りおよび字幕無しの２通りのモードを有する、計６つの表示モードの中から、自分に適した表示モードを選択して鑑賞することができる。
【０１１２】
ここで、字幕の表示において、外国映画に対する母国語の字幕を表示しても良いし、聴覚障害者のために、国内映画の会話の内容や音声情報を母国語の字幕で表示しても良い。
【０１１３】
本実施形態によれば、観察者は、通常の立体表示と、立体度を抑制した立体表示と、２次元画像表示の３つの表示モードそれぞれに対して、字幕有りおよび字幕無しの２通りのモードを有する、計６つの表示モードの中から、自分に適した表示モードを選択して鑑賞することができ、より多くの人が、見やすい立体映像を鑑賞できるというユニバーサルデザインに配慮した立体映像鑑賞システムが得られる。
【０１１４】
本実施形態において、プロジェクタ５２が表示する内容は字幕表示に限らない。もちろん、立体度が異なる立体映像をさらに増やして表示しても良い。
【０１１５】
字幕や立体度以外の観察条件として、以下のような表示を行うこともできる。
【０１１６】
例えば、立体視が苦手な人や不慣れな人のために、急激な動きのある映像シーンを動きの速度を緩和した映像シーンに差し替えた映像を表示する。
【０１１７】
あるいは、子供に対しては、光の点滅や急激なカットチェンジ、あるいは輝度の大きい縞模様や渦巻き模様などの光刺激性のある映像シーンを、別の映像シーンに差し替えた映像を表示する。
【０１１８】
さらに、映像の内容は同じでも、異なる視点からの映像を表示する。
【０１１９】
また、表示手段５を構成する各表示装置（字幕無しの映像を表示するプロジェクタおよび字幕有りの映像を表示するプロジェクタ）のそれぞれに、表示された映像を透過する状態と表示された映像を遮断する状態とを切り替えるシャッタを設けても良い。この場合は、第３の実施形態で説明したような、プロジェクタが高速に映像を切り替えて表示しなくても、第１の実施形態と同様の効果が得られる、という効果を得ることができる。
【０１２０】
上記の場合においても、制御手段４は、図１１に示したような各映像再生装置を同期制御することで、字幕無しの映像と字幕有りの映像のそれぞれについて、立体映像を構成する３つ以上の映像信号を生成または出力する。制御手段４（立体映像生成手段）には、第２の実施形態における、立体度の異なる複数の立体映像を、より少ない映像から生成する立体映像生成装置を適用可能である。この場合は、立体映像生成手段は、字幕無しの映像と字幕有りの映像のそれぞれについて、視差の異なる３つ以上の映像を、これら映像の数より少ない映像データから生成する。
【０１２１】
以上説明した各実施形態の立体映像鑑賞システムは、本発明の一例であって、その構成は、発明の趣旨を逸脱しない範囲で適宜に変更することができる。例えば、各実施形態で説明した構成を組み合わせてもよい。
【０１２２】
各実施形態において、入力手段、シャッタ手段およびシャッタ駆動回路を含む光シャッタを複数設け、表示手段からの制御信号が各光シャッタに供給されてもよい。
【０１２３】
本発明の一態様によれば、立体映像鑑賞システムは、立体映像を構成する視差の異なる３つ以上の映像を時分割多重して表示するとともに、各映像の切り替わりのタイミングを示す制御信号を出力する表示システムと、立体度が異なる複数の立体映像をそれぞれ上記３つ以上の映像のうちの２つの映像の組み合わせにより規定した複数の表示モードから任意の表示モードを指定するための入力手段と、光を透過する状態と光を遮断する状態を切り替える２つのシャッタと、上記入力手段にて指定された表示モードに対応する２つの映像の切り替わりのタイミングをそれぞれ上記制御信号に基づいて特定し、該特定した各映像の切り替わりタイミングで上記２つのシャッタの開閉をそれぞれ独立に制御するシャッタ駆動回路を有する。
【０１２４】
上記の立体映像鑑賞システムによれば、視差の異なる３つ以上の映像が時分割多重で表示されており、観察者によって指定された表示モードに対応する２つの映像の切り替わりタイミングで各シャッタの開閉が制御され、それら２つの映像からなる立体映像が観察者に提供される。すなわち、観察者は、表示モードを指定することで、立体度の異なる立体映像の中から所望の立体度の立体映像を指定することができる。したがって、立体映画のように、大勢の観客が同時に同じ立体映像を鑑賞する場合に、観察者それぞれが、表示モードを指定することで立体映像の観察条件を設定することができ、視覚疲労を抑制することができる。これにより、大勢の観客に同じ立体映像を同時に提供して楽しませることと、個人差がある立体視能力の度合いに適応した立体映像を提供して視覚疲労を軽減することを両立させることができる。
【０１２５】
上記の立体映像鑑賞システムにおいて、上記入力手段は、２次元表示を行うための別の表示モードの指定が可能とされており、上記シャッタ駆動回路が、上記入力手段にて上記別の表示モードが指定された場合に、上記３つ以上の映像のうちの１つの映像の切り替わりのタイミングを上記制御信号に基づいて特定し、該特定した切り替わりタイミングで、上記２つのシャッタの開閉を同時に制御してもよい。
【０１２６】
さらに、上記入力手段は、他の表示モードの指定が可能とされており、上記シャッタ駆動回路が、上記入力手段にて上記他の表示モードが指定された場合に、上記３つ以上の映像のうちの１つの映像の切り替わりのタイミングを上記制御信号に基づいて特定し、該特定した切り替わりタイミングで、上記２つのシャッタの一方のシャッタの開閉を制御するとともに、他方のシャッタを閉じてもよい。
【０１２７】
さらに、上記表示システムが、上記３つ以上の映像を時分割多重した立体映像信号を出力する制御手段と、上記立体映像信号に基づく映像を表示する表示手段を有していてもよい。この場合、上記制御手段が、立体映像を構成する視差の異なる３つ以上の映像信号を時分割多重して立体映像信号を生成する立体映像生成手段を備えていてもよい。上記立体映像生成手段は、３つ以上の映像再生装置を有し、これら映像再生装置を同期制御して上記立体映像信号を生成してもよい。また、上記立体映像生成手段は、上記３つ以上の映像を、これら映像の数より少ない映像データから生成してもよい。
【０１２８】
また、上記表示システムは、立体映像を構成する視差の異なる３つ以上の映像信号を出力するとともに、各映像信号におけるフレームの切り替わりのタイミングを示す制御信号を出力する制御手段と、上記制御手段からの各映像信号に基づく映像をそれぞれ表示する３つ以上の表示装置と、上記３つ以上の表示装置のそれぞれに設けられ、上記制御手段からの制御信号に従って、表示された映像を透過する状態と表示された映像を遮断する状態とを切り替える複数のシャッタを有していてもよい。
【０１２９】
上記の場合、上記制御手段が、３つ以上の映像再生装置を有し、これら映像再生装置を同期制御して上記３つ以上の映像信号を出力してもよい。
【０１３０】
さらに、上記制御手段が、上記３つ以上の映像を、これら映像の数より少ない映像データから生成してもよい。
【０１３１】
本発明の別の態様によれば、立体映像鑑賞システムは、第１の立体映像を構成する視差の異なる３つ以上の映像を時分割多重して第１の偏光で表示し、上記第１の立体映像とは一部内容が異なる第２の立体映像を構成する視差の異なる３つ以上の映像を時分割多重して、上記第１の偏光とは偏光成分が異なる第２の偏光で表示するとともに、上記第１および第２の偏光で表示された各映像の切り替わりのタイミングを示す制御信号を出力する表示システムと、上記第１および第２の立体映像のそれぞれについて、立体度が異なる複数の立体映像をそれぞれ上記３つ以上の映像のうちの２つの映像の組み合わせにより規定した複数の表示モードが設定されており、これら表示モードから任意の表示モードを指定するための入力手段と、透過する光の偏光成分を選択可能であり、光を透過する状態と光を遮断する状態を切り替える２つのシャッタと、上記入力手段にて指定された表示モードに対応する２つの映像の切り替わりのタイミングをそれぞれ上記制御信号に基づいて特定し、該特定した各映像の切り替わりタイミングで、上記２つのシャッタの開閉をそれぞれ独立に制御するとともに、該指定表示モード対応する２つの映像の表示に用いた偏光の偏光成分を上記２つのシャッタにて選択させるシャッタ駆動回路を有する。
【０１３２】
上記の立体映像鑑賞システムによれば、第１および第２の立体映像のそれぞれについて、視差の異なる３つ以上の映像が時分割多重で表示されており、観察者によって指定された表示モードに対応する２つの映像の切り替わりタイミングで各シャッタの開閉が制御され、それら２つの映像からなる立体映像が観察者に提供される。すなわち、観察者は、表示モードを指定することで、第１または第２の立体映像について、立体度の異なる立体映像の中から所望の立体度の立体映像を指定することができる。したがって、立体映画のように、大勢の観客が同時に同じ立体映像を鑑賞する場合に、観察者それぞれが、第１または第２の立体映像について、表示モードを指定することで立体映像の観察条件を設定することができ、視覚疲労を抑制することができる。これにより、大勢の観客に同じ立体映像を同時に提供して楽しませることと、個人差がある立体視能力の度合いに適応した立体映像を提供して視覚疲労を軽減することを両立させることができる。ここで、第１および第２の立体映像は、第４の実施形態における字幕有りの立体映像および字幕無しの立体映像に対応する。字幕は、デジタル放送におけるデータ情報（番組内容を示す情報やあらすじといった情報を含む）であってもよい。
【０１３３】
上記の別の態様による立体映像鑑賞システムにおいて、上記入力手段は、上記第１および第２の立体映像のそれぞれについて、２次元表示を行うための別の表示モードの指定が可能とされており、上記シャッタ駆動回路は、上記第１の立体映像について、上記入力手段にて上記別の表示モードが指定された場合は、上記第１の立体映像を構成する上記３つ以上の映像のうちの１つの映像の切り替わりのタイミングを上記制御信号に基づいて特定し、該特定した切り替わりタイミングで、上記２つのシャッタの開閉を同時に制御するとともに、上記第１の偏光の偏光成分を上記２つのシャッタにて選択させ、上記第２の立体映像について、上記入力手段にて上記別の表示モードが指定された場合は、上記第２の立体映像を構成する上記３つ以上の映像のうちの１つの映像の切り替わりのタイミングを上記制御信号に基づいて特定し、該特定した切り替わりタイミングで、上記２つのシャッタの開閉を同時に制御するとともに、上記第２の偏光の偏光成分を上記２つのシャッタにて選択させてもよい。
【０１３４】
また、上記入力手段は、上記第１および第２の立体映像のそれぞれについて、他の表示モードの指定が可能とされており、上記シャッタ駆動回路が、上記第１の立体映像について、上記入力手段にて上記他の表示モードが指定された場合は、上記第１の立体映像を構成する上記３つ以上の映像のうちの１つの映像の切り替わりのタイミングを上記制御信号に基づいて特定し、該特定した切り替わりタイミングで、上記２つのシャッタの一方のシャッタの開閉を制御し、上記第１の偏光の偏光成分を該一方のシャッタにて選択させ、他方のシャッタを閉じ、上記第２の立体映像について、上記入力手段にて上記他の表示モードが指定された場合は、上記第２の立体映像を構成する上記３つ以上の映像のうちの１つの映像の切り替わりのタイミングを上記制御信号に基づいて特定し、該特定した切り替わりタイミングで、上記２つのシャッタの一方のシャッタの開閉を制御し、上記第２の偏光の偏光成分を該一方のシャッタにて選択させ、他方のシャッタを閉じてもよい。
【０１３５】
さらに、上記表示システムは、上記第１の立体映像を構成する３つ以上の映像を時分割多重した第１の立体映像信号と上記第２の立体映像を構成する３つ以上の映像を時分割多重した第２の立体映像信号をそれぞれ出力する制御手段と、上記第１の立体映像信号に基づく映像を上記第１の偏光で表示し、上記第２の立体映像信号に基づく映像を上記第２の偏光で表示する表示手段を有してもよい。
【０１３６】
さらに、上記制御手段は、上記第１の立体映像を構成する視差の異なる３つ以上の映像信号を時分割多重して第１の立体映像信号を生成し、上記第２の立体映像を構成する視差の異なる３つ以上の映像信号を時分割多重して第２の立体映像信号を生成する立体映像生成手段を備えてもよい。この場合は、上記立体映像生成手段が、３つ以上の第１の映像再生装置および３つ以上の第２の映像再生装置を有し、該３つ以上の第１の映像再生装置を同期制御して上記第１の立体映像信号を生成し、該３つ以上の第２の映像再生装置を同期制御して上記第２の立体映像信号を生成してもよい。さらに、上記立体映像生成手段は、上記第１の立体映像を構成する視差の異なる３つ以上の映像を、これら映像の数より少ない映像データから生成し、上記第２の立体映像を構成する視差の異なる３つ以上の映像を、これら映像の数より少ない映像データから生成してもよい。
【０１３７】
また、上記表示システムは、上記第１の立体映像を構成する３つ以上の映像信号および上記第２の立体映像を構成する３つ以上の映像信号をそれぞれ出力するとともに、各映像信号におけるフレームの切り替わりのタイミングを示す制御信号を出力する制御手段と、上記制御手段からの上記第１の立体映像を構成する３つ以上の映像信号に基づく映像をそれぞれ上記第１の偏光で表示する３つ以上の第１の表示装置と、上記制御手段からの上記第２の立体映像を構成する３つ以上の映像信号に基づく映像をそれぞれ上記第２の偏光で表示する３つ以上の第２の表示装置と、上記３つ以上の第１の表示装置および上記３つ以上の第２の表示装置のそれぞれに設けられ、上記制御手段からの制御信号に従って、表示された映像を透過する状態と表示された映像を遮断する状態とを切り替える複数のシャッタを有してもよい。
【０１３８】
また、上記制御手段は、３つ以上の第１の映像再生装置および３つ以上の第２の映像再生装置を有し、該３つ以上の第１の映像再生装置を同期制御して上記第１の立体映像を構成する３つ以上の映像信号を出力し、該３つ以上の第２の映像再生装置を同期制御して上記第２の立体映像を構成する３つ以上の映像信号を出力してもよい。
【０１３９】
さらに、上記制御手段は、上記第１の立体映像を構成する３つ以上の映像を、これら映像の数より少ない映像データから生成し、上記第２の立体映像を構成する３つ以上の映像を、これら映像の数より少ない映像データから生成してもよい。
【０１４０】
さらに、上記入力手段、上記２つのシャッタおよび上記シャッタ駆動回路を備える複数の光シャッタを有し、上記表示システムからの制御信号が各光シャッタに供給されてもよい。
【０１４１】
以上説明した本発明によれば、視差の異なる３つ以上の映像が時分割多重で表示されており、観察者によって指定された表示モードに対応する２つの映像の切り替わりタイミングで各シャッタの開閉が制御され、それら２つの映像からなる立体映像が観察者に提供される。すなわち、観察者は、表示モードを指定することで、立体度の異なる立体映像の中から所望の立体度の立体映像を指定することができる。したがって、立体映画のように、大勢の観客が同時に同じ立体映像を鑑賞する場合に、観察者それぞれが、表示モードを指定することで立体映像の観察条件を設定することができ、視覚疲労を抑制することができる。これにより、大勢の観客に同じ立体映像を同時に提供して楽しませることと、個人差がある立体視能力の度合いに適応した立体映像を提供して視覚疲労を軽減することを両立させることができる。
【０１４２】
以上、実施形態を参照して本発明を説明したが、本発明は上述した実施形態に限定されるものではない。本発明の構成および動作については、本発明の趣旨を逸脱しない範囲において、当業者が理解し得る様々な変更を行うことができる。
【０１４３】
この出願は、２００９年１月２２日に出願された日本出願特願２００９−０１２１４３を基礎とする優先権を主張し、その開示の全てをここに取り込む。
【図１】
0005573683.tif 000002
【図２Ａ】
0005573683.tif 000003
【図２Ｂ】
0005573683.tif 000004
【図３】
0005573683.tif 000005
【図４】
0005573683.tif 000006
【図５】
0005573683.tif 000007
【図６】
0005573683.tif 000008
【図７】
0005573683.tif 000009
【図８】
0005573683.tif 000010
【図９】
0005573683.tif 000011
【図１０】
0005573683.tif 000012
【図１１】
0005573683.tif 000013
【図１２】
0005573683.tif 000014
【図１３Ａ】
0005573683.tif 000015
【図１３Ｂ】
0005573683.tif 000016
【図１３Ｃ】
0005573683.tif 000017